(57)【特許請求の範囲】
【請求項１】
一対の基板間に液晶を挟持した液晶パネルに電子部品を実装するための圧着装置であって、
前記一対の基板のうち一方の基板が他方の基板から張出している張出し領域を支持するように配置された透光性ステージと、
前記透光性ステージの略直下に設けられ、前記張出し領域に光を照射する第１光源と、
前記液晶が挟持された領域の下側に設けられ、前記透光性ステージを介して前記張出し領域に光を照射する第２光源と、
前記第１光源または第２光源が照射する光により、前記張出し領域における前記電子部品を実装するための端子と、前記電子部品の端子との位置関係の観察を行うための撮像装置と、
前記透光性ステージ上において前記基板の前記張出し領域に前記電子部品を圧着する圧着ヘッドと、を少なくとも備え、
少なくとも前記第２光源の光出射面には、紫外線除去フィルタが設けられていることを特徴とする圧着装置。
【請求項２】
一対の基板間に液晶を挟持した液晶パネルに電子部品を実装するための圧着装置であって、
前記一対の基板のうち一方の基板が他方の基板から張出している張出し領域を支持するように配置された透光性ステージと、
前記透光性ステージの略直下に設けられ、前記張出し領域に光を照射する第１光源と、
前記液晶が挟持された領域の下側に設けられ、前記透光性ステージを介して前記張出し領域に光を照射する前記第１光源よりもパワーの大きい第２光源と、
前記第１光源または第２光源が照射する光により、前記張出し領域における前記電子部品を実装するための端子と、前記電子部品の端子との位置関係の観察を行うための撮像装置と、
前記透光性ステージ上において前記基板の前記張出し領域と、前記電子部品との間に異方性導電材を挟み、前記張出し領域に前記電子部品を圧着する圧着ヘッドと、を少なくとも備え、
少なくとも前記第２光源の光出射面には、紫外線除去フィルタが設けられていることを特徴とする圧着装置。
【請求項３】
一対の基板間に液晶を挟持した液晶パネルに電子部品を実装するための圧着装置であって、
前記一対の基板のうち一方の基板が他方の基板から張出している張出し領域を支持するように配置された透光性ステージと、
前記透光性ステージの略直下に設けられ、前記張出し領域に光を照射する第１光源と、
前記液晶が挟持された領域の下側に設けられ、前記透光性ステージを介して前記張出し領域に光を照射する前記第１光源よりもパワーの大きい第２光源と、
前記第１光源または第２光源が照射する光により、前記張出し領域における前記電子部品を実装するための端子と、前記電子部品の端子との位置関係の観察を行うための撮像装置と、
前記液晶パネルと前記電子部品との位置を調整するための駆動装置と、
前記透光性ステージ上において前記基板の前記張出し領域と、前記電子部品との間に異方性導電材を挟み、前記張出し領域に前記電子部品を圧着する圧着ヘッドと、を少なくとも備え、
前記第１光源および第２光源の光出射面には、紫外線除去フィルタが設けられていることを特徴とする圧着装置。
【請求項４】
前記透光性ステージの材質は、石英であることを特徴とする請求項１〜３のいずれか一項に記載の圧着装置。
【請求項５】
一対の基板間に液晶を挟持した液晶パネルにおいて前記一対の基板のうち一方の基板が他方の基板から張出している張出し領域に電子部品を実装するための液晶パネルの製造方法であって、
前記張出し領域の略直下から第１の光を照射する工程と、
前記第１の光により前記張出し領域を有する基板の位置合わせを行う工程と、
前記液晶が挟持された領域の下側から第２の光を前記張出し領域に照射する工程と、
前記第２の光により前記電子部品の位置合わせを行う工程と、
前記張出し領域における前記基板に前記電子部品を接続する工程とを含み、
少なくとも前記第２の光は、紫外線を除去した光であることを特徴とする液晶パネルの製造方法。
【請求項６】
一対の基板間に液晶を挟持した液晶パネルにおいて前記一対の基板のうち一方の基板が他方の基板から張出している張出し領域に電子部品を実装するための液晶パネルの製造方法であって、
前記張出し領域の略直下から第１の光を照射する工程と、
前記第１の光により前記張出し領域を有する基板の位置合わせを行う工程と、
前記液晶が挟持された領域の下側から前記第１の光よりもパワーの大きい第２の光を前記張出し領域に照射する工程と、
前記第２の光により前記電子部品の位置合わせを行う工程と、
前記張出し領域における前記基板に前記電子部品を接続する工程とを含み、
少なくとも前記第２の光は、紫外線を除去した光であることを特徴とする液晶パネルの製造方法。
【発明の詳細な説明】
【０００１】
【発明の属する技術分野】
本発明は、電気光学物質を保持する透明基板に電子部品が異方性導電材によって実装された電気光学装置の製造方法、この方法によって製造された電気光学装置、この電気光学装置を備えた電子機器、および透明基板に電子部品を実装するための圧着装置に関するものである。
【０００２】
【従来の技術】
フレキシブル基板やフェイスダウンボンディングタイプのＩＣなどの電子部品を異方性導電膜（Ａｎｉｓｏｔｒｏｐｉｃ  ｃｏｎｄｕｃｔｉｖｅ  ｆｉｌｍ）や異方性導電剤などの異方性導電材を用いて基板に実装する方法は、ファインピッチへの対応が可能であるとともに、多接点を一括して電気的に接続できるので、液晶装置などといった電気光学装置において、電気光学物質を保持する基板上に電子部品を実装するのに適している。
【０００３】
このような実装が行われる電気光学装置のうち、電気光学物質として液晶を用いたものでは、図９に示すように、一対の透明基板１０、２０がシール材３０で貼り合わされており、このシール材３０で区画形成された領域内に液晶３が保持されている。ここで、一対の透明基板１０、２０の各々において互いに対向する面には、液晶３を駆動するための電極パターン（図示せず）が透明なＩＴＯ膜から構成されている。
【０００４】
また、電気光学装置１では、一対の透明基板１０、２０のうち、少なくとも一方の透明基板２０については、他方の透明基板１０の縁から張り出させ、この張り出し領域２５に対してフレキシブル基板４０などの電子部品を実装するための端子（図示せず）が形成され、このような端子（図示せず）も透明なＩＴＯ膜から構成されている。
【０００５】
このような電気光学装置１を製造するにあたって、透明基板２０の端子にフレキシブル基板４０を実装する場合には、透明基板２０を透光性ステージ１１０上に配置した状態で、透光性ステージ１１０を通して光源部１２０から白色光を照射することにより、透明基板２０に形成されている透明な端子とフレキシブル基板４０に形成されている端子との位置関係を撮像装置１３０で観察し、この観察結果に基づいて端子同士を位置合わせした後、圧着ヘッド１８０を下降させ、透光性ステージ１１０上でフレキシブル基板４０と透明基板２０とを異方性導電材を挟んで圧着することにより端子同士を電気的に接続している。
【０００６】
ここで、光源部１２０は、透明基板２０の真下から透光性ステージ１１０を介して白色光を照射する第１の光源１２１と、透明基板２０に対して斜め下方から透光性ステージ１１０に白色光を入射させる第２の光源１２２とを備えており、これらの光源１２１、１２２のうち、第２の光源１２２は、第１の光源１２１と比較してパワーの大きな白色光を出射する。なお、第１の光源１２１および第２の光源１２２は、それぞれフレキシブルケーブル１２４、１２５および投射レンズ光学系１２６、１２７を介して白色光を出射する。
【０００７】
【発明が解決しようとする課題】
しかしながら、図９を参照して説明した方法でフレキシブル基板４０を実装すると、光源部１２０から出射された光が透光性ステージ１１０を介して液晶３にも照射される結果、液晶３が劣化して表示にむらが発生するなど、表示品位が低下するという問題点がある。すなわち、液晶３は、波長が４００ｎｍから４３０ｎｍの紫外線によって劣化する傾向にあるが、光源部１２０から出射される白色光には、波長は４００ｎｍから４３０ｎｍの紫外線が含まれているのである。
【０００８】
以上の問題点に鑑みて、本発明の課題は、電気光学物質を劣化させることなく透明基板の端子と電子部品の端子とを位置合わせした後、端子同士を電気的に接続することのできる電気光学装置の製造方法、この方法によって製造された電気光学装置、この電気光学装置を備えた電子機器、および透明基板に電子部品を実装するための圧着装置を提供することにある。
【０００９】
【課題を解決するための手段】
上記課題を解決するために、本発明の圧着装置は、一対の基板間に液晶を挟持した液晶パネルに電子部品を実装するための圧着装置であって、一対の基板のうち一方の基板が他方の基板から張出している張出し領域を支持するように配置された透光性ステージと、透光性ステージの略直下に設けられ、張出し領域に光を照射する第１光源と、液晶が挟持された領域の下側に設けられ、透光性ステージを介して張出し領域に光を照射する第２光源と、第１光源または第２光源が照射する光により、張出し領域における電子部品を実装するための端子と、電子部品の端子との位置関係の観察を行うための撮像装置と、透光性ステージ上において基板の張出し領域に電子部品を圧着する圧着ヘッドと、を少なくとも備え、少なくとも第２光源の光出射面には、紫外線除去フィルタが設けられていることを特徴とする。
【００１０】
この構成によれば、液晶パネルと電子部品との位置を観察する際に、少なくとも液晶が挟持された側から光を照射する第２光源に紫外線除去フィルタを設けたことにより、液晶に照射される紫外線が低減され、液晶の劣化を低減することができる。
よって、本発明の圧着装置によれば、電子部品が圧着された液晶パネルにおける品位の高い表示を確保することができる。
また、第１光源は透光性ステージの略直下、即ち、張出し領域の略直下から光を照射し、第２光源は液晶が挟持された領域の下側から透光性ステージを介して張出し領域に光を照射することから、撮像装置は、異なる方向から照射される光により、各端子部の位置を確実に観察することができる。
従って、電気光学物質としての液晶を劣化させることなく基板の端子と電子部品の端子とを位置合わせした後、端子同士を電気的に接続することのできる圧着装置を提供することができる。
【００１１】
上記課題を解決するために、本発明の圧着装置は、一対の基板間に液晶を挟持した液晶パネルに電子部品を実装するための圧着装置であって、一対の基板のうち一方の基板が他方の基板から張出している張出し領域を支持するように配置された透光性ステージと、透光性ステージの略直下に設けられ、張出し領域に光を照射する第１光源と、液晶が挟持された領域の下側に設けられ、透光性ステージを介して張出し領域に光を照射する第１光源よりもパワーの大きい第２光源と、第１光源または第２光源が照射する光により、張出し領域における電子部品を実装するための端子と、電子部品の端子との位置関係の観察を行うための撮像装置と、透光性ステージ上において基板の張出し領域と、電子部品との間に異方性導電材を挟み、張出し領域に電子部品を圧着する圧着ヘッドと、を少なくとも備え、少なくとも第２光源の光出射面には、紫外線除去フィルタが設けられていることを特徴とする。
【００１２】
この構成によれば、液晶パネルと電子部品との位置を観察する際に、少なくとも液晶が挟持された側から光を照射する第２光源に紫外線除去フィルタを設けたことにより、液晶に照射される紫外線が低減され、液晶の劣化を低減することができる。また、第１光源よりもパワーの大きい第２光源側に紫外線除去フィルタが必須で設けられるため、紫外線の低減度合いを大きくすることができる。
よって、本発明の圧着装置によれば、電子部品が圧着された液晶パネルにおける品位の高い表示を確保することができる。
また、第１光源は透光性ステージの略直下、即ち、張出し領域の略直下から光を照射し、第２光源は液晶が挟持された領域の下側から透光性ステージを介して張出し領域に光を照射することから、撮像装置は、異なる方向から照射される光により、各端子部の位置を確実に観察することができる。
従って、電気光学物質としての液晶を劣化させることなく基板の端子と電子部品の端子とを位置合わせした後、端子同士を電気的に接続することのできる圧着装置を提供することができる。
【００１３】
上記課題を解決するために、本発明の圧着装置は、一対の基板間に液晶を挟持した液晶パネルに電子部品を実装するための圧着装置であって、一対の基板のうち一方の基板が他方の基板から張出している張出し領域を支持するように配置された透光性ステージと、透光性ステージの略直下に設けられ、張出し領域に光を照射する第１光源と、液晶が挟持された領域の下側に設けられ、透光性ステージを介して張出し領域に光を照射する第１光源よりもパワーの大きい第２光源と、第１光源または第２光源が照射する光により、張出し領域における電子部品を実装するための端子と、電子部品の端子との位置関係の観察を行うための撮像装置と、液晶パネルと電子部品との位置を調整するための駆動装置と、透光性ステージ上において基板の張出し領域と、電子部品との間に異方性導電材を挟み、張出し領域に電子部品を圧着する圧着ヘッドと、を少なくとも備え、第１光源および第２光源の光出射面には、紫外線除去フィルタが設けられていることを特徴とする。
【００１４】
この構成によれば、液晶パネルと電子部品との位置を観察する際に、少なくとも液晶が挟持された側から光を照射する第２光源に紫外線除去フィルタを設けたことにより、液晶に照射される紫外線が低減され、液晶の劣化を低減することができる。また、第１光源よりもパワーの大きい第２光源側に紫外線除去フィルタが必須で設けられるため、紫外線の低減度合いを大きくすることができる。
よって、本発明の圧着装置によれば、電子部品が圧着された液晶パネルにおける品位の高い表示を確保することができる。
また、第１光源は透光性ステージの略直下、即ち、張出し領域の略直下から光を照射し、第２光源は液晶が挟持された領域の下側から透光性ステージを介して張出し領域に光を照射することから、撮像装置は、異なる方向から照射される光により、各端子部の位置を確実に観察することができる。
従って、電気光学物質としての液晶を劣化させることなく基板の端子と電子部品の端子とを位置合わせした後、端子同士を電気的に接続することのできる圧着装置を提供することができる。
【００１５】
本発明に係る圧着装置によれば、透光性ステージの材質は、石英であることが好ましい。
石英は、光透過性が高いことから各端子の位置を光学的に確認するのに適している。さらに、圧着に耐え得る硬度と耐熱性を有していることから、透光性ステージの材質として好適である。
【００１６】
上記課題を解決するために、本発明の液晶パネルの製造方法は、一対の基板間に液晶を挟持した液晶パネルにおいて一対の基板のうち一方の基板が他方の基板から張出している張出し領域に電子部品を実装するための液晶パネルの製造方法であって、張出し領域の略直下から第１の光を照射する工程と、第１の光により張出し領域を有する基板の位置合わせを行う工程と、液晶が挟持された領域の下側から第２の光を張出し領域に照射する工程と、第２の光により電子部品の位置合わせを行う工程と、張出し領域における基板に電子部品を接続する工程とを含み、少なくとも第２の光は、紫外線を除去した光であることを特徴とする。
【００１７】
この製造方法によれば、第２の光の照射工程において、液晶が挟持された領域の下側から照射される第２の光は紫外線を除去した光であることから、液晶に照射される紫外線が低減され、液晶の劣化を低減することができる。
よって、本発明の製造方法によれば、電子部品が圧着された液晶パネルにおける品位の高い表示を確保することができる。
また、第１の光は略直下から張出し領域に照射され、また、第２の光は液晶が挟持された領域の下側から張出し領域に照射されることから、異なる方向から照射される光により、基板および電子部品を確実に位置合わせすることができる。
従って、電気光学物質としての液晶を劣化させることなく基板の端子と電子部品の端子とを位置合わせした後、端子同士を電気的に接続することのできる液晶パネルの製造方法を提供することができる。
【００１８】
上記課題を解決するために、本発明の液晶パネルの製造方法は、一対の基板間に液晶を挟持した液晶パネルにおいて一対の基板のうち一方の基板が他方の基板から張出している張出し領域に電子部品を実装するための液晶パネルの製造方法であって、張出し領域の略直下から第１の光を照射する工程と、第１の光により張出し領域を有する基板の位置合わせを行う工程と、液晶が挟持された領域の下側から第１の光よりもパワーの大きい第２の光を張出し領域に照射する工程と、第２の光により電子部品の位置合わせを行う工程と、張出し領域における基板に電子部品を接続する工程とを含み、少なくとも第２の光は、紫外線を除去した光であることを特徴とする。
【００１９】
この製造方法によれば、第２の光の照射工程において、液晶が挟持された領域の下側から照射される第２の光は紫外線を除去した光であることから、液晶に照射される紫外線が低減され、液晶の劣化を低減することができる。また、第１の光よりもパワーの大きい第２の光における紫外線が必須で除去されるため、紫外線の低減度合いを大きくすることができる。
よって、本発明の製造方法によれば、電子部品が圧着された液晶パネルにおける品位の高い表示を確保することができる。
また、第１の光は略直下から張出し領域に照射され、また、第２の光は液晶が挟持された領域の下側から張出し領域に照射されることから、異なる方向から照射される光により、基板および電子部品を確実に位置合わせすることができる。
従って、電気光学物質としての液晶を劣化させることなく基板の端子と電子部品の端子とを位置合わせした後、端子同士を電気的に接続することのできる液晶パネルの製造方法を提供することができる。
【００２０】
本発明において、前記光源として、前記透明基板の真下から当該透明基板に照射される第１の白色光を出射する第１の光源と、前記透明基板に対して斜め下方から前記透明基板に照射される第２の白色光を出射する第２の光源とを備える場合には、少なくとも前記第２の光源から前記透明基板に至る光路上に前記紫外線除去フィルタが配置されていることが好ましい。
【００２１】
本発明において、前記第２の光源は、前記透明基板の前記電気光学物質が保持されている側から当該透明基板の基板縁に向かって前記第２の白色光を出射することが好ましい。
【００２２】
本発明において、前記透光性ステージは、例えば、石英製である。石英であれば、光透過性が高いので、端子の位置を光学的に確認するのに適しており、かつ、圧着に耐え得る硬度と耐熱性を有している。
【００２３】
【発明の実施の形態】
図面を参照して、本発明の実施の形態を説明する。
【００２４】
（全体構成）
図１および図２はそれぞれ、本発明を適用した電気光学装置の斜視図、および分解斜視図である。図３（Ａ）、（Ｂ）はそれぞれ、第２の透明基板に形成されている端子、およびフレキシブル基板に形成されている端子の説明図である。
【００２５】
なお、図２には、電極パターンおよび端子などを模式的に示してあるだけであり、実際の電気光学装置では、より多数の電極パターンや端子が形成されている。
【００２６】
図１および図２において、本形態の電気光学装置１は、パッシブマトリクス型のカラー液晶パネル２を備えており、所定の間隙を介してシール材３０によって貼り合わされた矩形のガラスなどからなる一対の透明基板１０、２０間にシール材３０によって液晶封入領域３５が区画されているとともに、この液晶封入領域３５内には、電気光学物質としての液晶３が封入されている。ここでは、前記一対の透明基板１０、２０のうち、液晶封入領域３５内で縦方向に延びる複数列の第１の電極パターン１２が形成されている方の基板を第１の透明基板１０とし、液晶封入領域３５内で横方向に延びる複数列の第２の電極パターン２２が形成されている方の基板を第２の透明基板２０とする。
【００２７】
ここに示す電気光学装置１は透過型であり、照明装置（図示せず）をバックライトとして所定の表示を行なう。このため、第１の透明基板１０および第２の透明基板２０の外側表面の各々には偏光板（図示せず）が貼られている。なお、図示を省略するが、第２の透明基板２０には、第１の電極パターン１２と第２の電極パターン２２との交点に相当する領域に、赤、緑、青のカラーフィルタが形成され、これらのカラーフィルタの表面側に絶縁性の平坦化膜（図示せず）、第２の電極パターン２２、および配向膜（図示せず）がこの順に形成されている。これに対して、第１の透明基板１０には、第１の電極パターン１２および配向膜（図示せず）がこの順に形成されている。
【００２８】
この電気光学装置１において、第１の電極パターン１２および第２の電極パターン２２は、いずれもＩＴＯ膜によって形成されているため、透明である。
【００２９】
電気光学装置１では、外部との間での信号の入出力、および基板間の導通のいずれを行うにも、第１の透明基板１０および第２の透明基板２０のそれぞれに形成されている端子形成領域１６、２６、２７が用いられる。第２の透明基板２０としては、第１の透明基板１０よりも大きな基板が用いられ、第１の透明基板１０と第２の透明基板２０とを貼り合わせたときに第１の透明基板１０の基板辺から第２の透明基板２０が張り出す部分２５１、２５２の各々に、駆動用ＩＣ５１、５２（半導体チップ）の実装領域５１０、５２０が形成されており、ここに駆動用ＩＣ５１、５２がフェイスダウンボンディングによりＣＯＧ実装されている。
【００３０】
また、第１の透明基板１０の基板辺から第２の透明基板２０が張り出す部分２５１、２５２の各々には、フレキシブル基板４０の各端部４１、４２が異方性導電膜を介して実装される基板実装領域４１０、４２０が形成されている。これらの基板実装領域４１０、４２０は、基本的には同様な構成を有しており、例えば、基板実装領域４１０の方では、図３（Ａ）に示すように、第２の透明基板２０の方に複数の端子４１１が形成され、これらの端子４１１は、いずれも電極パターン２２と同時形成されたＩＴＯ膜からなる。このため、端子４１１は、電極パターン２２と同様、透明である。これに対して、図３（Ｂ）に示すように、フレキシブル基板４０の端部４１には、端子４１１よりも幅の狭い複数の端子４１２が形成されており、これらの端子４１２は、プラスチックフィルム上に形成された銅箔パターンに金めっきが施されたものである。
【００３１】
なお、本形態の電気光学装置１において、フレキシブル基板４０、および駆動用ＩＣ５１、５２がいずれも第２の透明基板２０に実装され、第１の透明基板１０には実装されていない。それでも、本形態では、第２の透明基板２０の端子形成領域２６において、駆動用ＩＣ５１から液晶封入領域３５の側に向かって複数の基板間導通用端子２８が第１の透明基板１０との重なる位置まで形成されている一方、第１の透明基板１０では、第１の電極パターン１２の端部が基板間導通用端子１８として基板間導通用端子２８との重なる位置まで延びている。このため、第１の透明基板１０と第２の透明基板２０とを、基板間導通剤を含有するシール材３０で貼り合わせて基板間導通用端子１８、２８同士を導通させるとともに、第２の透明基板２０に駆動用ＩＣ５１、５２、およびフレキシブル基板４０を実装した以降、フレキシブル基板４０を介して、駆動用ＩＣ５１、５２に所定の信号を入力すれば、駆動用ＩＣ５１、５２から出力された信号は、第１の電極パターン１２および第２の電極パターン２２に供給されるので、第１の電極パターン１２と第２の電極パターン２２との交点に相当する画素を各々駆動することができる。
【００３２】
（フレキシブル基板４０の実装方法）
このような構成の電気光学装置１を製造するにあたっては、駆動用ＩＣ５１、５２、およびフレキシブル基板４０を第２の透明基板２０に順次、実装していくが、図４および図５を参照して、フレキシブル基板４０の端部４１を第２の透明基板２０の基板実装領域４１０に実装する工程に本発明を適用した例を説明する。
【００３３】
図４は、本発明を適用した圧着装置の要部の構成を示す説明図である。図５は、この圧着装置を用いて第２の透明基板にフレキシブル基板を実装する様子を示す説明図である。
【００３４】
図４および図５において、本形態で使用される圧着装置１００には、第１の透明基板１０と第２の透明基板２０との間に電気光学物質としての液晶３を保持した液晶パネル２を吸着、保持する第１のチャック１５０と、フレキシブル基板４０を吸着、保持する第２のチャック１６０とが構成されている。また、液晶パネル２の第２の透明基板２０のうち、フレキシブル基板４０の端部４１が実装される基板実装領域４１０の下方位置には、石英製の透光性ステージ１１０が配置されている。
【００３５】
第１のチャック１５０に対しては、それぞれ矢印で示すが、第１のチャック１５０をＸ方向に駆動することにより液晶パネル２のＸ方向における位置を調整する第１のパネル側駆動装置Ｘ１と、第１のチャック１５０をＹ方向に駆動することにより液晶パネル２のＹ方向における位置を調整する第２のパネル側駆動装置Ｙ１と、第１のチャック１５０をＸ−Ｙ平面内で回転駆動することにより液晶パネル２の向きを調整する第３のパネル側駆動装置Ｚ１が構成されている。また、第２のチャック１６０に対しては、それぞれ矢印で示すが、第２のチャック１６０をＸ方向に駆動することによりフレキシブル基板４０のＸ方向における位置を調整する第１の基板側駆動装置Ｘ２と、第２のチャック１６０をＹ方向に駆動することによりフレキシブル基板４０のＹ方向における位置を調整する第２の基板側駆動装置Ｙ２と、第２のチャック１６０をＸ−Ｙ平面内で回転駆動することによりフレキシブル基板２の向きを調整する第３の基板側駆動装置Ｚ２が構成されている。
【００３６】
また、圧着装置１００には、透光性ステージ１１０を通して第２の透明基板１０の基板実装領域４１０に光を照射する光源部１２０と、この光源部１２０から出射した光の反射光に基づいて第２の透明基板２０の基板実装領域４１０に形成されている透明な端子４１１（図３（Ａ）を参照）とフレキシブル基板４０の端子４１２（図３（Ｂ）を参照）との位置関係の観察を行うための撮像装置１３０と、この撮像装置１３０を用いての観察結果に基づいて、前記の各駆動装置Ｘ１、Ｙ１、Ｚ１、Ｘ２、Ｙ２、Ｚ２によって第２の透明基板２０とフレキシブル基板４０との位置を調整して端子４１１、４１２同士を位置合わせした状態において、透光性ステージ１１０上でフレキシブル基板４０の端部４１と第２の透明基板２０とを異方性導電材を挟んで圧着することにより端子４１１、４１２同士を電気的に接続する圧着ヘッド１８０とが構成されている。
【００３７】
ここで、光源部１２０は、第２の透明基板２０の真下から透光性ステージ１１０を介して第２の透明基板２０に照射される第１の白色光を出射するハロゲンランプからなる第１の光源１２１と、第２の透明基板２０に対して斜め下方から第１の白色光と比較して大きなパワーをもって透光性ステージ１１０を介して第２の透明基板２０に照射される第２の白色光を出射するハロゲンランプからなる第２の光源１２２とを備えている。
【００３８】
本形態において、第２の光源１２２は、液晶封入領域３５の真下位置から基板縁に向かって斜めに第２の白色光を照射するように配置されている。
【００３９】
なお、第１の光源１２１および第２の光源１２２は、それぞれフレキシブルケーブル１２４、１２５および投射レンズ光学系１２６、１２７を介して白色光を出射する。
【００４０】
このように構成した圧着装置１００において、本形態では、第１の光源１２１および第２の光源１２２の各出射面には、波長が４００ｎｍから４３０ｎｍの光（紫外線）を除去する紫外線除去フィルタ１２８、１２９がそれぞれ配置されている。
【００４１】
このように構成した圧着装置１００を用いて第２の透明基板２０に対してフレキシブル基板４０の端部４１を実装するには、まず、液晶パネル２の第２の透明基板２０の基板実装領域４１０に異方性導電材を塗布、あるいは重ねた後、圧着装置１００の第１のチャック１５０および第２のチャック１６０に液晶パネル２およびフレキシブル基板４０をそれぞれ吸着、保持させる。
【００４２】
次に、位置合わせ工程を行う。この位置合わせ工程では、まず、第２の透明基板２０の真下から第１の白色光を照射する第１の光源１２１を点灯させ、その反射光により、第２の透明基板２０に形成されているアライメントマーク（図示せず）を撮像装置１３０を介して観察し、その観察結果に基づいて、第１のチャック１５０を所定の方向に駆動し、液晶パネル２の位置合わせを行う。
【００４３】
次に、第２の透明基板２０の斜め下方から第２の白色光を照射する第２の光源１２２を点灯させ、その反射光により、第２の透明基板２０に形成されているアライメントマーク（図示せず）を撮像装置１３０を介して観察するとともに、第２の透明基板２０に形成されている端子４１１とフレキシブル基板４０に形成されている端子４１２との位置関係を観察し、それらの観察結果に基づいて、第２のチャック１６０を所定の方向に駆動し、端子４１１、４１２同士の位置合わせを行う。
【００４４】
このようにして、端子４１１、４１２同士の位置合わせを終えた後、圧着ヘッド１８０を降下させ、透光性ステージ１１０上でフレキシブル基板４０の端部４１と第２の透明基板２０とを異方性導電材を挟んで圧着することにより端子４１１、４１２同士を電気的に接続する（圧着工程）。
【００４５】
このようにしてフレキシブル基板４０を第２の透明基板２０に位置合わせして実装すると、各光源１２１、１２２から出射された白色光に波長が４００ｎｍから４３０ｎｍの紫外線が含まれ、かつ、このような紫外線が液晶３に照射されると液晶３が劣化するという問題があっても、本形態では、各光源１２１、１２２から第２の透明基板２０に至る光路上のうち、第１の光源１２１および第２の光源１２２の各出射面に、波長が４００ｎｍから４３０ｎｍの光（紫外線）を除去する紫外線除去フィルタ１２８、１２９がそれぞれ配置されているため、第１の白色光および第２の白色光は、紫外線が除去された後、第２の透明基板２０に照射される。従って、これらの光が液晶３に届いたとしても、紫外線によって液晶３を劣化させることなく第２の透明基板２０の端子４１１とフレキシブル基板４０の端子４１２とを光学的に位置合わせした後、端子４１１、４１２同士を電気的に接続することができる。それ故、本形態に係る電気光学装置１では、紫外線による液晶３の劣化に起因する表示品位の低下が発生しない。
【００４６】
また、本形態において、第２の透明基板２０の斜め下方から第２の白色光を照射するとしても、第２の白色光は、液晶パネル２の液晶封入領域３５の真下から反対方向（基板縁）に向けて斜めに照射されているので、パワーの強い第２の白色光が液晶３に照射されることを防止することができる。従って、紫外線除去フィルタ１２９によって第２の白色光から紫外線を完全に除去できなくても、液晶３が紫外線によって劣化するのを防止することができる。
【００４７】
さらに、本形態において、透光性ステージ１１０は石英製であり、石英であれば、光透過性が高いので、端子４１１、４１２の位置を光学的に確認するのに適しており、かつ、圧着に耐え得る硬度と耐熱性を有している。
【００４８】
（その他の実施の形態）
なお、上記形態では、透明基板にフレキシブル基板を実装する例を示したが、透明基板に駆動用ＩＣなどを実装するのに本発明を適用してもよい。
【００４９】
また、上記形態では、第１の光源と第２の光源から出射される双方の光から紫外線を除去する構成であったが、少なくともパワーの大きな第２の白色光から紫外線を除去するだけでも、液晶の劣化を防止することができる。
【００５０】
さらに、上記形態では、電気光学装置として、パッシブマトリクスタイプの液晶装置を例に説明したが、これに限らず、例えば、アクティブマトリクスタイプの液晶装置において、石英基板などにフレキシブル基板や駆動用ＩＣを実装するのに本発明を適用してもよい。
【００５１】
さらにまた、上記形態では、基板間導通構造を採用しているので、電気光学物質としての液晶を保持する２枚の透明基板の一方にフレキシブル基板を実装する例を説明したが、２枚の透明基板の各々にフレキシブル基板や駆動用ＩＣを実装するのに本発明を適用してもよい。
【００５２】
（電子機器の実施形態）
図６は、本発明に係る電気光学装置（液晶装置）を各種の電子機器の表示装置として用いる場合の一実施形態を示している。ここに示す電子機器は、表示情報出力源７０、表示情報処理回路７１、電源回路７２、タイミングジェネレータ７３、そして液晶装置７４を有する。また、液晶装置７４は、液晶表示パネル７５及び駆動回路７６を有する。液晶装置７４および液晶表示パネル７５としては、前述した電気光学装置１、および液晶パネル２を用いることができる。
【００５３】
表示情報出力源７０は、ＲＯＭ（Read Only Memory）、ＲＡＭ（Random Access Memory）等といったメモリ、各種ディスク等といったストレージユニット、デジタル画像信号を同調出力する同調回路等を備え、タイミングジェネレータ７３によって生成された各種のクロック信号に基づいて、所定フォーマットの画像信号等といった表示情報を表示情報処理回路７１に供給する。
【００５４】
表示情報処理回路７１は、シリアル−パラレル変換回路や、増幅・反転回路、ローテーション回路、ガンマ補正回路、クランプ回路等といった周知の各種回路を備え、入力した表示情報の処理を実行して、その画像信号をクロック信号ＣＬＫと共に駆動回路７６へ供給する。駆動回路７６は、走査線駆動回路やデータ線駆動回路、検査回路等を総称したものである。また、電源回路７２は、各構成要素に所定の電圧を供給する。
【００５５】
図７は、本発明に係る電子機器の一実施形態であるモバイル型のパーソナルコンピュータを示している。ここに示すパーソナルコンピュータは、キーボード８１を備えた本体部８２と、液晶表示ユニット８３とを有する。液晶表示ユニット８３は、前述した電気光学装置１を含んで構成される。
【００５６】
図８は、本発明に係る電子機器の他の実施形態である携帯電話機を示している。ここに示す携帯電話機９０は、複数の操作ボタン９１と、液晶装置からなる電気光学装置１を有している。
【００５７】
【発明の効果】
以上説明したように、本発明では、電気光学物質を保持する透明基板を透光性ステージ上に配置した状態で透光性ステージを介して透明基板の電子部品実装領域に光を照射することにより、透明基板の透明な端子と電子部品の端子との位置関係の観察を行い、この観察結果に基づいて端子同士の位置合わせするにあたって、透明基板には、紫外線除去フィルタを介して光が照射されるので、光が電気光学物質に照射されても、電気光学物質に照射される光には紫外線が含まれない。それ故、電気光学物質は、紫外線に起因する光劣化を起こさないので、品位の高い表示を行うことができる。
【図面の簡単な説明】
【図１】本発明を適用した電気光学装置の斜視図である。
【図２】図１に示す電気光学装置の分解斜視図である。
【図３】（Ａ）、（Ｂ）はそれぞれ、第２の透明基板に形成されている端子、およびフレキシブル基板に形成されている端子の説明図である。
【図４】本発明を適用した圧着装置の要部の構成を示す説明図である。
【図５】図４に示す圧着装置を用いて第２の透明基板にフレキシブル基板を実装する様子を示す説明図である。
【図６】本発明に係る電気光学装置を用いた各種電子機器の構成を示すブロック図である。
【図７】本発明に係る電気光学装置を用いた電子機器の一実施形態としてのモバイル型のパーソナルコンピュータを示す説明図である。
【図８】本発明に係る電気光学装置を用いた電子機器の一実施形態としての携帯電話機の説明図である。
【図９】従来の圧着装置を用いて第２の透明基板にフレキシブル基板を実装する様子を示す説明図である。
【符号の説明】
１  電気光学装置
２  液晶パネル
３  液晶
１０、２０  透明基板
１２、２２  電極パターン
１６、２６、２７  端子形成領域
１８、２８  基板間導通用端子
３０  シール材
３５  液晶封入領域
４１、４２  フレキシブル基板の端部
５１、５２  駆動用ＩＣ
１００  圧着装置
１１０  透光性ステージ
１２０  光源部
１２１  第１の光源
１２２  第２の光源
１２４、１２５  フレキシブルケーブル
１２６、１２７  投射レンズ光学系
１２８、１２９  紫外線除去フィルタ
１３０  撮像装置
１５０、１６０  チャック
１８０  圧着ヘッド
２５１、２５２  透明基板が張り出す部分
４１０、４２０  基板実装領域
４１１  透明基板側の端子
４１２  フレキシブル基板側の端子
５１０、５２０  駆動用ＩＣの実装領域
Ｘ１  第１のパネル側駆動装置
Ｙ１  第２のパネル側駆動装置
Ｚ１  第３のパネル側駆動装置
Ｘ２  第１の基板側駆動装置
Ｙ２  第２の基板側駆動装置
Ｚ２  第３の基板側駆動装置
【図１】
0003861604.tif 000002
【図２】
0003861604.tif 000003
【図３】
0003861604.tif 000004
【図４】
0003861604.tif 000005
【図５】
0003861604.tif 000006
【図６】
0003861604.tif 000007
【図７】
0003861604.tif 000008
【図８】
0003861604.tif 000009
【図９】
0003861604.tif 000010